(57)【要約】【課題】基地局装置のみでなく移動端末での受信状態にも応じて、スロットダイバーシチを行う無線通信システムを提供する。【解決手段】無線通信システムは、移動端末２０ａ、２０ｂと基地局装置１０とからなる。移動端末２０ａ、２０ｂのＦＥＲ算出処理部は、基地局装置１０と通信しているスロットのＦＥＲを算出する。移動端末２０ａ、２０ｂのスロット起動要求処理部は、ＦＥＲ算出処理部が算出したＦＥＲが所定の閾値より悪いときは、基地局装置１０に、第２情報チャネルの起動要求を通知する。【選択図】図１
2007295251.tif 000002
【特許請求の範囲】
【請求項１】
移動端末と基地局装置とからなり、複数のスロット各々に個別の情報チャネルを割り当てて同一のデータを同時に複数の前記情報チャネルにて送信するスロットダイバーシチを必要に応じて行う無線通信システムにおいて、
前記移動端末は、
情報チャネルが割り当てられているスロットの受信品質値を算出する受信品質算出手段と、
前記受信品質算出手段が算出した受信品質値が所定の閾値より悪いときは、前記基地局装置に、スロットダイバーシチを行うための情報チャネルの起動要求を通知する起動要求手段と
を備え、
前記基地局装置は、
受信信号から前記起動要求手段が通知した起動要求を抽出する要求抽出手段と、
前記要求抽出手段が起動要求を抽出したときは、スロットダイバーシチを行うための情報チャネルを起動して、前記情報チャネルが割り当てられているスロットとは異なるスロットに割り当てるスロット起動手段と
を備えることを特徴とする無線通信システム。
【請求項２】
前記基地局装置は、複数の情報チャネルを割り当てられ、スロットダイバーシチにて通信している移動端末の前記起動要求手段から、情報チャネルの起動要求を通知されなくなったときは、前記移動端末に割り当てられている複数の情報チャネルのうち、一を除いた情報チャネルが割り当てられているスロットを解放するスロット解放手段を備えることを特徴とする請求項１に記載の無線通信システム。
【請求項３】
前記移動端末の起動要求手段は、情報チャネルの起動要求とともに前記受信品質算出手段が算出した受信品質値を前記基地局装置に通知し、
前記基地局装置のスロット起動手段は、同時に複数の前記移動端末から情報チャネルの起動要求を受けたときは、情報チャネルを起動してスロットに割り当てる移動端末の順を、少なくとも、前記起動要求とともに通知された受信品質値に基づき決定し、決定した順に従いスロットに割り当てること
を特徴とする請求項１または請求項２に記載の無線通信システム。
【請求項４】
前記起動要求は、制御チャネルを用いて通知されることを特徴とする請求項１から請求項３のいずれかの項に記載の無線通信システム。
【請求項５】
移動端末と基地局装置とからなり、複数のスロット各々に個別の情報チャネルを割り当てて同一のデータを同時に複数の前記情報チャネルにて送信するスロットダイバーシチを必要に応じて行う無線通信システムにおいて、
前記移動端末は、
情報チャネルが割り当てられているスロットの受信品質値を算出する受信品質算出手段と、
前記受信品質算出手段が算出した受信品質値を、前記基地局装置に通知する受信品質通知手段と
を備え、
前記基地局装置は、前記受信品質通知手段から通知された受信品質値が所定の第１の閾値より悪いときは、前記受信品質値の通知元である移動端末と自装置との間でスロットダイバーシチを行うための情報チャネルを、前記情報チャネルが割り当てられているスロットとは異なるスロットに割り当てるスロット起動手段を備えること
を特徴とする無線通信システム。
【請求項６】
前記基地局装置は、前記受信品質通知手段から通知された受信品質値が所定の第２の閾値より良く、前記受信品質値の通知元である移動端末に複数の情報チャネルが割り当てられ、スロットダイバーシチにて通信しているときは、前記通知元である移動端末に割り当てられている複数の情報チャネルのうち、一を除いた情報チャネルが割り当てられているスロットを解放するスロット解放手段を備えていることを特徴とする請求項５に記載の無線通信システム。
【請求項７】
前記スロット起動手段は、複数の前記移動端末の受信品質通知手段から通知された受信品質値が所定の第１の閾値より悪いときは、スロットダイバーシチを行うための情報チャネルをスロットに割り当てる移動端末の順を、少なくとも、前記受信品質通知手段から通知された受信品質値に基づき決定し、決定した順に従いスロットに割り当てることを特徴とする請求項５または請求項６に記載の無線通信システム。
【請求項８】
前記受信品質値は、制御チャネルを用いて通知されることを特徴とする請求項５から請求項７のいずれかの項に記載の無線通信システム。
【請求項９】
前記制御チャネルは、低速付随チャネルであることを特徴とする請求項４または請求項８に記載の無線通信システム。
【請求項１０】
移動局側と基地局側との間で、複数のスロット各々に個別の情報チャネルを割り当てて同一のデータを同時に複数の情報チャネルにて送信するスロットダイバーシチを必要に応じて行う無線通信方法において、
前記移動局側が、情報チャネルが割り当てられているスロットの受信品質値を算出する第１の過程と、
前記移動局側が、前記第１の過程にて算出した受信品質値が所定の閾値より悪いときは、前記基地局側に、スロットダイバーシチを行うための情報チャネルの起動要求を通知する第２の過程と
前記基地局側が、受信信号から前記第２の過程により通知された起動要求を抽出する第３の過程と、
前記基地局側が、前記第３の過程にて起動要求を抽出したときは、スロットダイバーシチを行うための情報チャネルを起動して、前記情報チャネルが割り当てられているスロットとは異なるスロットに割り当てる第４の過程と
を備えることを特徴とする無線通信方法。
【請求項１１】
移動局側と基地局側との間で、複数のスロット各々に個別の情報チャネルを割り当てて同一のデータを同時に複数の情報チャネルにて送信するスロットダイバーシチを必要に応じて行う無線通信方法において、
前記移動局側が、情報チャネルが割り当てられているスロットの受信品質値を算出する第１の過程と、
前記移動局側が、前記第１の過程にて算出した受信品質値を、前記基地局側に通知する第２の過程と
前記基地局側が、前記第２の過程にて通知された受信品質値が所定の閾値より悪いときは、前記受信品質値の通知元である移動局側との間でスロットダイバーシチを行うための情報チャネルを、前記情報チャネルが割り当てられているスロットとは異なるスロットに割り当てる第３の過程と
を備えることを特徴とする無線通信方法。
【発明の詳細な説明】
【技術分野】
【０００１】
本発明は、無線通信システムおよび無線通信方法にかかわり、特にＴＤＭＡ（Time Division Multiple Access）方式の無線通信システムおよび無線通信方法に関する。
【背景技術】
【０００２】
ＰＨＳ（Personal Handyphone System）では、図１５に示すように、上り下りそれぞれが４つのタイムスロット（以降、スロットと呼ぶ）からなるＴＤＭＡ方式の無線通信システムであり、通信状態に応じて、送信データをコピーして同じデータを複数のスロットで送信するスロットダイバーシチをしている（例えば、特許文献１参照）。
図１５に示す例では、第１のスロットと第３のスロットに、それぞれに第１ＴＣＨ（Traffic Channel；情報チャネル）と第２ＴＣＨを割り当てて、送信側は送信データをコピーして第１ＴＣＨと第２ＴＣＨとで同じデータを送信し、受信側は第１ＴＣＨと第ＴＣＨのうちから、受信状態の良い方を選択している。
従来のシステムでは、このとき、図１６に例を示すフローチャートのように、基地局装置にて移動端末からの受信データのＦＥＲ（Frame Error Rate）を算出し（Ｓｉ１）、ＦＥＲが所定の閾値を越えているときは（Ｓｉ２）、第２ＴＣＨを起動して、スロットに割り当てて、スロットダイバーシチをしている（Ｓｉ３）。次に、スロットダイバーシチ中は、基地局装置にて移動端末からの受信データのＦＥＲを算出し（Ｓｉ４）、ＦＥＲが所定の閾値未満になっているときは（Ｓｉ５）、第２ＴＣＨを割り当てていたスロットを解放して、スロットダイバーシチをやめている（Ｓｉ６）。
【特許文献１】特開平０２−２９０２９９号公報
【発明の開示】
【発明が解決しようとする課題】
【０００３】
しかしながら、上述の無線通信システムにあっては、第２ＴＣＨの起動、解放の基準が基地局装置でのＦＥＲのみであったため、基地局装置では受信状態が良くても、移動端末での受信状態が悪いときに、基地局装置にて移動端末の受信状態を把握することができずスロットダイバーシチを行えないという問題がある。
【０００４】
本発明は、このような事情に鑑みてなされたもので、その目的は、基地局装置のみでなく移動端末での受信状態にも応じて、スロットダイバーシチを行うことで、移動端末での受信状態を改善し、優れたスループットを得られる無線通信システムおよび無線通信方法を提供することにある。
【課題を解決するための手段】
【０００５】
この発明は上述した課題を解決するためになされたもので、請求項１に記載の発明は、移動端末と基地局装置とからなり、複数のスロット各々に個別の情報チャネルを割り当てて同一のデータを同時に複数の前記情報チャネルにて送信するスロットダイバーシチを必要に応じて行う無線通信システムにおいて、前記移動端末は、情報チャネルが割り当てられているスロットの受信品質値を算出する受信品質算出手段と、前記受信品質算出手段が算出した受信品質値が所定の閾値より悪いときは、前記基地局装置に、スロットダイバーシチを行うための情報チャネルの起動要求を通知する起動要求手段とを備え、前記基地局装置は、受信信号から前記起動要求手段が通知した起動要求を抽出する要求抽出手段と、前記要求抽出手段が起動要求を抽出したときは、スロットダイバーシチを行うための情報チャネルを起動して、前記情報チャネルが割り当てられているスロットとは異なるスロットに割り当てるスロット起動手段とを備えることを特徴とする無線通信システムである。
【０００６】
また、請求項２に記載の発明は、請求項１に記載の無線通信システムであって、前記基地局装置は、複数の情報チャネルを割り当てられ、スロットダイバーシチにて通信している移動端末の前記起動要求手段から、情報チャネルの起動要求を通知されなくなったときは、前記移動端末に割り当てられている複数の情報チャネルのうち、一を除いた情報チャネルが割り当てられているスロットを解放するスロット解放手段を備えることを特徴とする。
【０００７】
また、請求項３に記載の発明は、請求項１または請求項２に記載の無線通信システムであって、前記移動端末の起動要求手段は、情報チャネルの起動要求とともに前記受信品質算出手段が算出した受信品質値を前記基地局装置に通知し、前記基地局装置のスロット起動手段は、同時に複数の前記移動端末から情報チャネルの起動要求を受けたときは、情報チャネルを起動してスロットに割り当てる移動端末の順を、少なくとも、前記起動要求とともに通知された受信品質値に基づき決定し、決定した順に従いスロットに割り当てることを特徴とする。
【０００８】
また、請求項４に記載の発明は、請求項１から請求項３のいずれかの項に記載の無線通信システムであって、前記起動要求は、制御チャネルを用いて通知されることを特徴とする。
【０００９】
また、請求項５に記載の発明は、移動端末と基地局装置とからなり、複数のスロット各々に個別の情報チャネルを割り当てて同一のデータを同時に複数の前記情報チャネルにて送信するスロットダイバーシチを必要に応じて行う無線通信システムにおいて、前記移動端末は、情報チャネルが割り当てられているスロットの受信品質値を算出する受信品質算出手段と、前記受信品質算出手段が算出した受信品質値を、前記基地局装置に通知する受信品質通知手段とを備え、前記基地局装置は、前記受信品質通知手段から通知された受信品質値が所定の第１の閾値より悪いときは、前記受信品質値の通知元である移動端末と自装置との間でスロットダイバーシチを行うための情報チャネルを、前記情報チャネルが割り当てられているスロットとは異なるスロットに割り当てるスロット起動手段を備えることを特徴とする無線通信システムである。
【００１０】
また、請求項６に記載の発明は、請求項５に記載の無線通信システムであって、前記基地局装置は、前記受信品質通知手段から通知された受信品質値が所定の第２の閾値より良く、前記受信品質値の通知元である移動端末に複数の情報チャネルが割り当てられ、スロットダイバーシチにて通信しているときは、前記通知元である移動端末に割り当てられている複数の情報チャネルのうち、一を除いた情報チャネルが割り当てられているスロットを解放するスロット解放手段を備えていることを特徴とする。
【００１１】
また、請求項７に記載の発明は、請求項５または請求項６に記載の無線通信システムであって、前記スロット起動手段は、複数の前記移動端末の受信品質通知手段から通知された受信品質値が所定の第１の閾値より悪いときは、スロットダイバーシチを行うための情報チャネルをスロットに割り当てる移動端末の順を、少なくとも、前記受信品質通知手段から通知された受信品質値に基づき決定し、決定した順に従いスロットに割り当てることを特徴とする。
【００１２】
また、請求項８に記載の発明は、請求項５から請求項７のいずれかの項に記載の無線通信システムであって、前記受信品質値は、制御チャネルを用いて通知されることを特徴とする。
【００１３】
また、請求項９に記載の発明は、請求項４または請求項８に記載の無線通信システムであって、前記制御チャネルは、低速付随チャネルであることを特徴とする。
【００１４】
また、請求項１０に記載の発明は、移動局側と基地局側との間で、複数のスロット各々に個別の情報チャネルを割り当てて同一のデータを同時に複数の情報チャネルにて送信するスロットダイバーシチを必要に応じて行う無線通信方法において、前記移動局側が、情報チャネルが割り当てられているスロットの受信品質値を算出する第１の過程と、前記移動局側が、前記第１の過程にて算出した受信品質値が所定の閾値より悪いときは、前記基地局側に、スロットダイバーシチを行うための情報チャネルの起動要求を通知する第２の過程と前記基地局側が、受信信号から前記第２の過程により通知された起動要求を抽出する第３の過程と、前記基地局側が、前記第３の過程にて起動要求を抽出したときは、スロットダイバーシチを行うための情報チャネルを起動して、前記情報チャネルが割り当てられているスロットとは異なるスロットに割り当てる第４の過程とを備えることを特徴とする無線通信方法である。
【００１５】
また、請求項１１に記載の発明は、移動局側と基地局側との間で、複数のスロット各々に個別の情報チャネルを割り当てて同一のデータを同時に複数の情報チャネルにて送信するスロットダイバーシチを必要に応じて行う無線通信方法において、前記移動局側が、情報チャネルが割り当てられているスロットの受信品質値を算出する第１の過程と、前記移動局側が、前記第１の過程にて算出した受信品質値を、前記基地局側に通知する第２の過程と前記基地局側が、前記第２の過程にて通知された受信品質値が所定の閾値より悪いときは、前記受信品質値の通知元である移動局側との間でスロットダイバーシチを行うための情報チャネルを、前記情報チャネルが割り当てられているスロットとは異なるスロットに割り当てる第３の過程とを備えることを特徴とする無線通信方法である。
【発明の効果】
【００１６】
この発明によれば、移動端末の起動要求手段は、移動端末の受信品質値に応じてスロットダイバーシチを行うための情報チャネルの起動要求を基地局装置に通知するので、基地局装置のみでなく移動端末での受信状態にも応じて、スロットダイバーシチを行うことができる。
【００１７】
また、本発明によれば、移動端末の受信品質通知手段は、移動端末の受信品質値を基地局装置に通知し、基地局装置のスロット起動手段は、通知された受信品質値に応じてスロットダイバーシチを行うための情報チャネルをスロットに割り当てるので、基地局装置のみでなく移動端末での受信状態にも応じて、スロットダイバーシチを行うことができる。
【発明を実施するための最良の形態】
【００１８】
〔第１の実施形態〕
以下、図面を参照して、本発明の第１の実施形態について説明する。図１は、この発明の第１の実施形態による無線通信システムの構成を示す概略ブロック図である。１０は、基地局のネットワークと繋がっており、ＴＤＭＡ方式により複数の移動端末と無線通信可能なＰＨＳの基地局装置である。２０ａ、２０ｂは、基地局装置１０と通信するＰＨＳの移動端末である。
【００１９】
図２は、移動端末２０ａ、２０ｂの構成を示す概略ブロック図である。２０１は、基地局装置１０との通信を行う通信処理部である。この通信処理部２０１による通信は、図４に示すように基地局装置１０から移動端末２０ａ、２０ｂへの下りが第１から第４の４スロット、移動端末２０ａ、２０ｂから基地局装置１０への上りが第１から第４の４スロットからなるＴＤＭＡ方式により行われる。ＰＨＳである本システムでは、図４に示す例にある上りの第３スロットのようにユーザ情報（通話の音声データなど）を転送するＴＣＨ（情報チャネル）が割り当てられたスロットには、制御情報を転送するための制御チャネルの一種であるＳＡＣＣＨ（Slow Associated Control Channel；低速付随制御チャネル）が、常に固定長割り当てられる。
【００２０】
２０２は、電話番号などを表示する表示部である。２０３は、電話番号の入力やオンフック、オフフックの切替指示などを数字キーなどで入力する入力部である。２０４は、音声入力を行うマイクである。２０５は、音声出力を行うスピーカである。２０６は、ＲＯＭ（Read Only Memory）、ＲＡＭ（Random Access Memory）などからなるメモリである。２１０は、移動端末全体を制御する制御部であり、ＦＥＲ算出処理部（受信品質算出手段）２１１とスロット起動要求処理部（起動要求手段）２１２を備える。ＦＥＲ算出処理部２１１は、基地局装置１０からの受信信号についてＦＥＲ（受信品質値）を算出する。スロット起動要求処理部２１２は、ＦＥＲ算出処理部２１１にて算出したＦＥＲが、所定の閾値α１を越えている場合は、スロットダイバーシチを行うための第２ＴＣＨ（第２情報チャネル）の起動要求として、図４に示すＳＡＣＣＨにて、ＦＥＲを基地局装置１０に通知する。
【００２１】
図３は、基地局装置１０の構成を示す概略ブロック図である。１０１は、移動端末２０ａ、２０ｂと通信する通信処理部である。１０２は、基地局のネットワークとの通信を行う通信Ｉ／Ｆである。１０３は、ＲＯＭ（Read Only Memory）、ＲＡＭ（Random Access Memory）などからなるメモリである。１１０は、基地局装置１０全体を制御する制御部であり、要求抽出処理部１１１、ＦＥＲ算出処理部１１２、スロット起動処理部（スロット起動手段）１１３、スロット解放処理部１１４を備える。要求抽出処理部１１１は、移動端末２０ａ、２０ｂがＳＡＣＣＨにて通知してくるＦＥＲを抽出する。ＦＥＲ算出処理部１１２は、ＴＣＨが割り当てられて、移動端末２０ａまたは２０ｂと通信しているスロットのＦＥＲを算出する。スロット起動処理部１１３は、ＦＥＲ算出処理部１１２の算出した移動端末２０ａまたは２０ｂと通信しているスロットのＦＥＲが所定の閾値α２を越えたとき、または、要求抽出処理部１１１が移動端末２０ａまたは２０ｂからのＦＥＲを抽出したときは、該当する移動端末との第２ＴＣＨを起動して、空きスロットに割り当てる。スロット解放処理部１１４は、ＦＥＲ算出処理部１１２が算出し、第２ＴＣＨを起動してスロットダイバーシチにて通信している移動端末２０ａまたは２０ｂと通信しているスロットのＦＥＲが、所定の閾値α３を越えており、且つ、要求抽出処理部１１１が第２ＴＣＨを起動してスロットダイバーシチにて通信している移動端末２０ａまたは２０ｂからのＦＥＲを抽出しなくなったときは、該当する移動端末との第２ＴＣＨを割り当てているスロットを解放する。
【００２２】
次に、この無線通信システムの第２ＴＣＨ起動時の動作を図８のシーケンス図およびスロット起動要求処理部２１２のフローチャートである図５と、スロット起動処理部１１３のフローチャートである図６とを用いて説明する。まず、移動端末２０におけるＦＥＲが閾値α１以下であり（Ｓｄ１）、基地局装置１０におけるＦＥＲが閾値α２以下であるとする（Ｓｄ２）。
【００２３】
このとき、移動端末２０のＦＥＲ算出処理部２１１は、基地局装置１０と通信しているスロットのＦＥＲを算出し、そのＦＥＲをスロット起動要求処理部２１２が取得する（Ｓａ１）。スロット起動要求処理部２１２は、取得したＦＥＲが閾値α１以下であるか判定する（Ｓａ２）。ここでは、ＦＥＲは閾値α１以下なので、判定条件が成立して、ステップＳａ１に戻って、同様の処理を繰り返す。
【００２４】
また、このとき、基地局装置のＦＥＲ算出処理部１１２は、各移動端末２０と通信しているスロットのＦＥＲを算出し、そのＦＥＲをスロット起動処理部１１３が取得する（Ｓｂ１）。スロット起動処理部１１３は、取得したＦＥＲが閾値α２以下であるか判定する（Ｓｂ２）。ここでは、ＦＥＲは閾値α２以下なので、判定条件は成立して、ステップＳｂ３に遷移して、要求抽出処理部１１１が、ＳＡＣＣＨを参照して移動端末２０からＦＥＲが通知されているか判定する。ここでは、ＦＥＲは通知されていないので、判定条件は成立せず、ステップＳｂ１に戻って同様の処理を繰り返す。
【００２５】
次に、移動端末２０のＦＥＲが劣化して閾値α１を越えたとする（Ｓｄ３）。すると、移動端末２０のＦＥＲ算出処理部２１１は、基地局装置１０と通信しているスロットのＦＥＲを算出し、そのＦＥＲをスロット起動要求処理部２１２が取得する（Ｓａ１）。スロット起動要求処理部２１２は、取得したＦＥＲが閾値α１以下であるか判定する（Ｓａ２）。ここでは、ＦＥＲは閾値α１を越えているので、判定条件は成立せず、ステップＳａ３に遷移して、基地局装置１０へＳＡＣＣＨにてＦＥＲを通知する。ＦＥＲが送信されると（Ｓｄ４）、基地局装置１０では、ステップＳｂ３にて、要求抽出処理部１１１が、ＳＡＣＣＨを参照して移動端末２０からのＦＥＲを抽出する。これを受けたスロット起動処理部１１３は、第２ＴＣＨを空きスロットに割り当てて、スロットダイバーシチを開始する（Ｓｂ４、Ｓｄ５）。
【００２６】
このように、基地局装置１０における受信品質が良くても、移動端末２０における受信品質が劣化すると、移動端末２０のスロット起動要求処理部２１２が第２ＴＣＨの起動を基地局装置１０に通知し、該通知を受けて、スロット起動処理部１１３が第２ＴＣＨの起動を行うので、スロットダイバーシチを開始することができる。
【００２７】
次に、この無線通信システムの第２ＴＣＨ維持の動作を図９のシーケンス図およびスロット起動要求処理部２１２のフローチャートである図５と、スロット起動処理部１１３のフローチャートである図６とスロット解放処理部１１４のフローチャートである図７を用いて説明する。まず、移動端末２０におけるＦＥＲは閾値α１を越えており（Ｓｅ１）、基地局装置１０におけるＦＥＲも閾値α２を越えているとする（Ｓｅ２）。
【００２８】
このとき、移動端末２０のＦＥＲ算出処理部２１１は、基地局装置１０と通信しているスロットのＦＥＲを算出し、そのＦＥＲをスロット起動要求処理部２１２が取得する（Ｓａ１）。スロット起動要求処理部２１２は、取得したＦＥＲが閾値α１以下であるかを判定する（Ｓａ２）。ここでは、ＦＥＲは閾値α１を越えているので、判定条件は成立せず、ステップＳａ３に遷移して、基地局装置１０へＳＡＣＣＨにてＦＥＲを通知する。ＦＥＲが送信されると（Ｓｅ３）、基地局装置１０では、ステップＳｂ３にて、要求抽出処理部１１１が、ＳＡＣＣＨを参照して移動端末２０からのＦＥＲを抽出する。これを受けたスロット起動処理部１１３は、第２ＴＣＨを空きスロットに割り当てて、スロットダイバーシチを開始する（Ｓｂ４、Ｓｅ４）。
【００２９】
次に、基地局装置１０の受信品質が良くなり、閾値α３以下になったとする（Ｓｅ５）。このとき、基地局装置のＦＥＲ算出処理部１１２は、第２ＴＣＨを起動している移動端末２０と通信しているスロットのＦＥＲを算出し、そのＦＥＲをスロット解放処理部１１４が取得する（Ｓｃ１）。スロット解放処理部１１４は、取得したＦＥＲが閾値α３以下であるかを判定する（Ｓｃ２）。ここでは、ＦＥＲは閾値α３以下なので、判定条件が成立し、ステップＳｃ３に遷移して、要求抽出処理部１１１が、ＳＡＣＣＨを参照して移動端末２０からＦＥＲが通知されているか判定する。ここでは、ＦＥＲは通知されているので、判定条件が成立し、ステップＳｃ１に戻って、同様の処理を繰り返し、第２ＴＣＨは維持される（Ｓｅ７）。
【００３０】
これにより、移動端末２０および基地局装置１０の双方で受信品質が劣化している状態でスロットダイバーシチを行っているときに、基地局装置１０における受信品質のみが良くなっても、移動端末２０からＦＥＲが通知されているため、スロット解放処理部１１４は、第２ＴＣＨを解放せずに維持し続けることができる。
【００３１】
なお、本実施形態においては、一つの移動端末２０との通信のみ、スロットダイバーシチにする場合を例にして説明したが、同時に複数の移動端末２０から第２ＴＣＨの起動要求であるＦＥＲを受ける、或いは、移動端末２０と通信しているスロットのＦＥＲが同時に複数の移動端末について閾値を超えるときは、スロット起動処理部１１３にて第２ＴＣＨを起動して空きスロットに割り当てる順を、ＦＥＲが大きな値であり、受信品質の悪い順にしてもよい。
これにより、受信品質の悪い移動端末が優先的にスロットダイバーシチを行うことができるため、システム全体のスループットを向上させることができる。
また、ＴＣＨが割り当てられたスロットには、ＳＡＣＣＨは常に固定長の領域が割り当てられているので、スロット起動要求処理部２１２がＦＥＲをＳＡＣＣＨにて送信することにより、他のトラフィックを圧迫することなく、必要なときに基地局装置１０にスロット起動要求を通知することができる。
【００３２】
なお、図２におけるＦＥＲ算出処理部２１１、スロット起動要求処理部２１２と図３における要求抽出処理部１１１、ＦＥＲ算出処理部１１２、スロット起動処理部１１３、スロット解放処理部１１４は専用のハードウェアにより実現されるものであってもよく、また、これらの処理部はメモリおよびＣＰＵ（中央演算装置）により構成され、これらの処理部の機能を実現するためのプログラムをメモリにロードして実行することによりその機能を実現させるものであってもよい。
【００３３】
［第２の実施形態］
以下、図面を参照して、本発明の第２の実施形態について説明する。第２の実施形態の概略構成も、第１の実施形態と同様に図１に示すように、基地局のネットワークと繋がっており、ＴＤＭＡ方式により複数の移動端末と無線通信可能なＰＨＳの基地局装置１０と、基地局装置１０と通信するＰＨＳの移動端末２０ａ、２０ｂとからなる。
図１０に、移動端末２０の概略構成のブロック図を示す。同図において図２の各部に対応する部分には同一の符号を付け、その説明を省略する。２２０は、移動端末２０全体を制御する制御部であり、ＦＥＲ算出処理部（受信品質算出手段）２１１とＦＥＲ通知処理部（受信品質通知手段）２２２を備える。ＦＥＲ通知処理部２２２は、ＦＥＲ算出処理部２１１が算出したＦＥＲを、ＳＡＣＣＨにて、基地局装置１０へ常に送信する。
【００３４】
図１１に、基地局装置１０の概略構成のブロック図を示す。同図において図３の各部に対応する部分には同一の符号を付け、その説明を省略する。１２０は、基地局装置１０全体を制御する制御部であり、ＦＥＲ抽出処理部１２１、ＦＥＲ算出処理部１１２、スロット起動処理部（スロット起動手段）１２３、スロット解放処理部（スロット解放手段）１２４を備える。ＦＥＲ抽出処理部１２１は、移動端末２０のＦＥＲ通知処理部２２２がＳＡＣＣＨにて送信したＦＥＲを抽出する。
【００３５】
スロット起動処理部１２３は、図１２にフローチャートを示すように、ＦＥＲ抽出処理部１２１が抽出した移動端末２０のＦＥＲが閾値β１以上となるか、ＦＥＲ算出処理部１１２が算出した基地局装置１０が移動端末２０と通信しているスロットのＦＥＲが閾値β２以上となったときは、空きスロットに移動端末２０の第２ＴＣＨを割り当てる。スロット解放処理部１２４は、図１３にフローチャートを示すように、ＦＥＲ算出処理部１１２が算出した基地局装置１０が移動端末２０と通信しているスロットのＦＥＲが閾値β３未満となり、且つ、ＦＥＲ抽出処理部１２１が抽出した移動端末２０のＦＥＲが閾値β４未満となったときは、移動端末２０の第２ＴＣＨを割り当てているスロットから解放する。ここで、β３＜β１であり、β４＜β２である。これはスロットを起動する条件（β１、β２）より、スロットを解放する条件（β３、β４）を厳しく（受信品質がより良い）することで、起動と解放を交互に繰り返すような動作を防ぐためである。
【００３６】
次に、この無線通信システムの動作を図１４に示すシーケンス図を参照して説明する。まず、移動端末２０におけるＦＥＲは閾値β２を越えており（Ｓｈ１）、基地局装置１０におけるＦＥＲは閾値β１に満たないとする（Ｓｈ２）。このとき、移動端末２０のＦＥＲ通知処理部２２２は、ＦＥＲ算出処理部２１１の算出したＦＥＲをＳＡＣＣＨにて、基地局装置１０へ通知している（Ｓｈ３）。基地局装置１０のＦＥＲ算出処理部１１２は、移動端末２０と通信しているスロットのＦＥＲを算出し、該ＦＥＲをスロット起動処理部１２３が取得する（Ｓｆ１）。スロット起動処理部１２３は、取得したＦＥＲが閾値β１以上であるか判定する（Ｓｆ２）。ここで、ＦＥＲは閾値β１に満たないため、判定条件は成立せず、ステップＳｆ３に遷移する。ステップＳｆ３では、ＦＥＲ抽出処理部１２１が、移動端末２０からＳＡＣＣＨにて送信されてくるＦＥＲを抽出し、このＦＥＲをスロット起動処理部１２３が取得する。スロット起動処理部１２３は、取得したＦＥＲが閾値β２以上であるか判定する（Ｓｆ４）。ここでは、ＦＥＲは閾値β２を越えているので、判定条件は成立し、スロット起動処理部１２３は、移動端末２０の第２ＴＣＨを起動して、空きスロットに割り当てる（Ｓｆ５、Ｓｈ４）。
次に、基地局装置１０での受信品質が劣化してＦＥＲが閾値β３を越え（Ｓｈ５）、また、しばらくしてから基地局装置１０での受信品質が改善してＦＥＲが閾値β３未満になったとする（Ｓｈ６）。移動端末２０のＦＥＲ算出処理部２１１は、閾値β２を越えている、すなわち閾値β４を越えているＦＥＲを算出し、そのＦＥＲをＦＥＲ通知処理部２２２が、ＳＡＣＣＨにて基地局装置１０へ送信する（Ｓｈ７）。基地局装置１０のＦＥＲ算出処理部１１２は、移動端末２０と通信しているスロットのＦＥＲを算出し、該ＦＥＲをスロット解放処理部１２４が取得する（Ｓｇ１）。スロット解放処理部１２４は、取得したＦＥＲが閾値β３未満であるか判定する（Ｓｇ２）。ここでは、ＦＥＲは閾値β３未満なので、判定条件が成立し、ステップＳｇ３に遷移する。ステップＳｇ３では、ＦＥＲ抽出処理部１２１が、移動端末２０からＳＡＣＣＨにて送信されてくるＦＥＲを抽出し、このＦＥＲをスロット解放処理部１２４が取得する。スロット解放処理部１２４は、取得したＦＥＲが閾値β４未満であるか判定する（Ｓｇ４）。ここでは、ＦＥＲは閾値β４を越えているので、判定条件は成立せず、ステップＳｇ１に戻って、同様の処理を繰り返す。
このように、基地局装置１０の受信品質が改善されても、移動端末２０の受信品質が劣化したままであれば、第２ＴＣＨは維持される。
次に、移動端末２０の受信品質が改善してＦＥＲが閾値β４未満になったとする（Ｓｈ８）。移動端末２０のＦＥＲ算出処理部２１１は、閾値β４未満となったＦＥＲを算出し、そのＦＥＲをＦＥＲ通知処理部２２２が、ＳＡＣＣＨにて基地局装置１０へ送信する（Ｓｈ９）。基地局装置１０のＦＥＲ算出処理部１１２は、移動端末２０と通信しているスロットのＦＥＲを算出し、該ＦＥＲをスロット解放処理部１２４が取得する（Ｓｇ１）。スロット解放処理部１２４は、取得したＦＥＲが閾値β３未満であるか判定する（Ｓｇ２）。ここでは、ＦＥＲは閾値β３未満なので、判定条件が成立し、ステップＳｇ３に遷移する。ステップＳｇ３では、ＦＥＲ抽出処理部１２１が、移動端末２０からＳＡＣＣＨにて送信されてくるＦＥＲを抽出し、このＦＥＲをスロット解放処理部１２４が取得する。スロット解放処理部１２４は、取得したＦＥＲが閾値β４未満であるか判定する（Ｓｇ４）。ここでは、ＦＥＲは閾値β４未満なので、ステップＳｇ５に遷移し、移動端末２０の第２ＴＣＨを割り当てられてきたスロットを解放する（Ｓｈ１０）。
【００３７】
これにより、移動端末２０および基地局装置１０の双方で受信品質が劣化している状態でスロットダイバーシチを行っているときに、基地局装置１０における受信品質のみが良くなっても、移動端末２０からＦＥＲが通知されているため、スロット解放処理部１１４は、第２ＴＣＨを解放せずに維持し続けることができる。
【００３８】
なお、本実施形態においては、一つの移動端末２０との通信のみ、スロットダイバーシチにする場合を例にして説明したが、複数の移動端末２０から受けたＦＥＲが同時に閾値を越える、或いは、移動端末２０と通信しているスロットのＦＥＲが同時に複数の移動端末について閾値を超えるときは、スロット起動処理部１２３にて第２ＴＣＨを起動して空きスロットに割り当てる順を、ＦＥＲが大きな値であり、受信品質の悪い順にしてもよい。
これにより、受信品質の悪い移動端末が優先的にスロットダイバーシチを行うことができるため、システム全体のスループットを向上させることができる。
また、ＴＣＨが割り当てられたスロットには、ＳＡＣＣＨは常に固定長の領域が割り当てられているので、ＦＥＲ通知処理部２２２がＦＥＲをＳＡＣＣＨにて送信することにより、他のトラフィックを圧迫することなく、必要なときに基地局装置１０にスロット起動要求を通知することができる。
【００３９】
なお、図１０におけるＦＥＲ通知処理部２２２と図１１におけるＦＥＲ抽出処理部１２１、スロット起動処理部１２３、スロット解放処理部１２４は専用のハードウェアにより実現されるものであってもよく、また、これらの処理部はメモリおよびＣＰＵ（中央演算装置）により構成され、これらの処理部の機能を実現するためのプログラムをメモリにロードして実行することによりその機能を実現させるものであってもよい。
【００４０】
なお、上記第１および第２の実施形態において、受信品質値としてＦＥＲを用いるとして説明したが、ＳＮＩＲ（Signal to Interference and Noise Ratio）、ＣＩＲ（Committed Information Rate）などを用いてもよい。
【００４１】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００４２】
本発明は、無線通信システム、特にＰＨＳに用いて好適であるが、これに限られるものではない。
【図面の簡単な説明】
【００４３】
【図１】この発明の第１の実施形態による無線通信システムの構成を示すブロック図である。
【図２】同実施形態における移動端末２０の概略構成を示すブロック図である。
【図３】同実施形態における基地局装置１０の概略構成を示すブロック図である。
【図４】同実施形態におけるスロットの構成を説明する図である。
【図５】同実施形態におけるスロット起動要求処理部２１２の動作を説明するフローチャートである。
【図６】同実施形態におけるスロット起動要求処理１１３の動作を説明するフローチャートである。
【図７】同実施形態におけるスロット解放要求処理１１４の動作を説明するフローチャートである。
【図８】同実施形態における無線通信システムの動作を説明するためのシーケンス図である。
【図９】同実施形態における無線通信システムの動作を説明するためのシーケンス図である。
【図１０】この発明の第２の実施形態による移動端末２０の概略構成を示すブロック図である。
【図１１】同実施形態における基地局装置１０の概略構成を示すブロック図である。
【図１２】同実施形態におけるスロット起動要求処理１２３の動作を説明するフローチャートである。
【図１３】同実施形態におけるスロット解放要求処理１２４の動作を説明するフローチャートである。
【図１４】同実施形態における無線通信システムの動作を説明するためのシーケンス図である。
【図１５】従来のＰＨＳにおけるスロットダイバーシチを説明する図である。
【図１６】従来のＰＨＳにおける第２ＴＣＨの起動・解放の動作を説明するフローチャートである。
【図１７】従来のＰＨＳにおける第２ＴＣＨの起動・解放の動作を説明するためのシーケンス図である。
【符号の説明】
【００４４】
１０…基地局装置
２０、２０ａ、２０ｂ…移動端末
１０１…通信処理部
１０２…通信Ｉ／Ｆ
１０３…メモリ
１１０…制御部
１１１…要求抽出処理部
１１２…ＦＥＲ算出処理部
１１３…スロット起動処理部
１１４…スロット解放処理部
１２０…制御部
１２１…ＦＥＲ抽出処理部
１２３…スロット起動処理部
１２４…スロット解放処理部
２０１…通信処理部
２０２…表示部
２０３…入力部
２０４…マイク
２０５…スピーカ
２０６…メモリ
２１０…制御部
２１１…ＦＥＲ算出処理部
２１２…スロット起動要求処理部
２２０…制御部
２２２…ＦＥＲ通知処理部
【図１】
2007295251.tif 000003
【図２】
2007295251.tif 000004
【図３】
2007295251.tif 000005
【図４】
2007295251.tif 000006
【図５】
2007295251.tif 000007
【図６】
2007295251.tif 000008
【図７】
2007295251.tif 000009
【図８】
2007295251.tif 000010
【図９】
2007295251.tif 000011
【図１０】
2007295251.tif 000012
【図１１】
2007295251.tif 000013
【図１２】
2007295251.tif 000014
【図１３】
2007295251.tif 000015
【図１４】
2007295251.tif 000016
【図１５】
2007295251.tif 000017
【図１６】
2007295251.tif 000018
【図１７】
2007295251.tif 000019